(57)【要約】【課題】所定の方法によりマスター端末を選定し、他の端末からの接続要求を規制する画像表示装置、予約管理サーバ、および会議システムを提供する。【解決手段】画像表示装置１は複数の端末２と接続され、これらの端末からの接続要求を受け付ける接続要求受付手段と、所定の端末をマスター端末として設定するマスター端末設定手段と、設定されたマスター端末以外の端末の要求に基づいて、画像表示装置がこの端末の操作権限下にあるときに、マスター端末からの接続要求があると、他の端末からの接続要求を規制する接続要求規制手段とを備えている。【選択図】図１
2006092365.tif 000002
【特許請求の範囲】
【請求項１】
複数の端末と接続され、いずれかの端末からの接続要求を受け付け、接続要求のあった端末の画面を表示させる画像表示装置であって、
前記複数の端末からの接続要求を受け付ける接続要求受付手段と、
前記複数の端末のうち、最初に接続要求がされた端末をマスター端末として設定するマスター端末設定手段と、
設定されたマスター端末以外の端末の要求に基づいて、該画像表示装置がこの端末の操作権限下にあるときに、前記マスター端末からの接続要求があると、他の端末からの接続要求を規制する接続要求規制手段とを備えていることを特徴とする画像表示装置。
【請求項２】
複数の端末と接続され、いずれかの端末からの接続要求を受け付け、接続要求のあった端末の画面を表示させる画像表示装置であって、
前記複数の端末からの接続要求を受け付ける接続要求受付手段と、
前記複数の端末のうち、いずれかの端末から接続要求があると、該画像表示装置固有に設定された認証情報の入力を促す認証情報入力手段と、
入力された認証情報が該画像表示装置に設定された認証情報と一致するか否かを判定する認証情報判定手段と、
当該認証情報判定手段により正しい認証情報であると判定されると、前記接続要求のあった端末をマスター端末として設定するマスター端末設定手段と、
当該マスター端末設定手段により設定されたマスター端末以外の端末の要求に基づいて、前記画像表示装置がこの端末の操作権限下にあるときに、前記マスター端末からの接続要求があると、他の端末からの接続要求を規制する接続要求規制手段とを備えていることを特徴とする画像表示装置。
【請求項３】
請求項２に記載の画像表示装置において、
前記認証情報は、
該画像表示装置の予約状況を管理する予約管理サーバから出力される、該画像表示装置の予約情報に基づいて生成される認証情報であることを特徴とする画像表示装置。
【請求項４】
複数の端末と接続され、いずれかの端末からの接続要求を受け付け、接続要求のあった端末の画面を表示させる画像表示装置であって、
前記複数の端末からの接続要求を受け付ける接続要求受付手段と、
時刻を計測する計時手段と、
前記いずれかの端末から接続要求があると、この端末に対して、前記計時手段から得られる計時情報に基づく認証情報の入力を促す認証情報入力手段と、
前記いずれかの端末から接続要求があると、前記計時手段から得られる計時情報に基づいて認証情報を生成する表示装置側認証情報生成手段と、
入力された認証情報が前記表示装置側認証情報生成手段で生成された認証情報と一致するか否かを判定する認証情報判定手段と、
正しい認証情報であると判定されたら、前記接続要求のあった端末をマスター端末として設定するマスター端末設定手段と、
設定されたマスター端末以外の端末の要求に基づいて、前記画像表示装置がこの端末の操作権限下にあるときに、前記マスター端末からの接続要求があると、他の端末からの接続要求を規制する接続要求規制手段とを備えていることを特徴とする画像表示装置。
【請求項５】
画像表示装置と通信可能に接続され、この画像表示装置の予約状況を管理する予約管理サーバであって、
前記画像表示装置の予約情報を受け付ける予約情報受付手段と、
この予約情報に基づいて、前記画像表示装置の使用許可を与えるための認証情報を生成する認証情報生成手段と、
生成された認証情報を、予約情報を出力した端末に対して通知する認証情報通知手段と、
生成された認証情報を、前記画像表示装置に配信する認証情報配信手段とを備えていることを特徴とする予約管理サーバ。
【請求項６】
請求項５に記載の予約管理サーバにおいて、
前記認証情報生成手段により認証情報が生成されると、生成された認証情報を書き込んだ物理的認証を発行する認証発行手段を備えていることを特徴とする予約管理サーバ。
【請求項７】
画像表示装置の予約状況を管理する予約管理サーバであって、
前記画像表示装置の予約情報を受け付ける予約情報受付手段と、
この予約情報に含まれる計時情報に基づいて、前記画像表示装置の使用許可を与えるための認証情報を生成する認証情報生成手段と、
生成された認証情報を、予約情報を出力した端末に対して通知する認証情報通知手段とを備えていることを特徴とする予約管理サーバ。
【請求項８】
複数の端末と、各端末が接続される画像表示装置とを備え、いずれかの端末からの接続要求を受け付け、接続要求のあった端末の画面をこの画像表示装置に表示させて会議を行う会議システムであって、
前記画像表示装置と通信可能に接続され、この画像表示装置の予約状況を管理する予約管理サーバを備え、
前記予約管理サーバは、
前記画像表示装置の予約情報を受け付ける予約情報受付手段と、
この予約情報に基づいて、前記画像表示装置の使用許可を与えるための認証情報を生成する認証情報生成手段と、
生成された認証情報を、予約情報を出力した端末に対して通知する認証情報通知手段と、
生成された認証情報を、前記画像情報表示装置に配信する認証情報配信手段とを備え、
前記画像表示装置は、
前記複数の端末からの接続要求を受け付ける接続要求受付手段と、
前記複数の端末のうち、いずれかの端末から接続要求があると、当該接続要求を行った端末に対して前記認証情報の入力を促す認証情報入力手段と、
入力された認証情報が、配信された認証情報と一致するか否かを判定する認証情報判定手段と、
当該認証情報判定手段により正しい認証情報であると判定されると、前記接続要求を御行った端末をマスター端末として設定するマスター端末設定手段と、
設定されたマスター端末以外の端末の要求に基づいて、当該画像表示装置がこの端末の操作権限下にあるときに、前記マスター端末から接続要求があると、他の端末からの接続要求を規制する接続要求規制手段とを備えていることを特徴とする会議システム。
【請求項９】
請求項８に記載の会議システムにおいて、
前記予約管理サーバは、
前記認証情報生成手段により認証情報が生成されると、生成された認証情報を書き込んだ物理的認証を発行する認証発行手段を備え、
前記画像表示装置の認証情報入力手段は、
発行された物理的認証に書き込まれた情報を読み取る書込情報読取部を備えていることを特徴とする会議システム。
【請求項１０】
複数の端末と、各端末が接続される画像表示装置とを備え、いずれかの端末からの接続要求を受け付け、接続要求のあった端末の画面をこの画像表示装置に表示させて会議を行う会議システムであって、
前記複数の端末と通信可能に接続され、この端末から出力された予約情報に基づく前記画像表示装置の予約状況を管理する予約管理サーバを備え、
前記予約管理サーバは、
前記画像表示装置の予約情報を受け付ける予約情報受付手段と、
前記予約情報に含まれる計時情報に基づいて、認証情報を生成する認証情報生成手段と、
生成された認証情報を、予約情報を出力した端末に対して通知する認証情報通知手段とを備え、
前記画像表示装置は、
前記複数の端末からの接続要求を受け付ける接続要求受付手段と、
時刻を計測する計時手段と、
前記複数の端末のいずれかから接続要求があると、この端末に対して前記認証情報の入力を促す認証情報入力手段と、
前記複数の端末のいずれかからの接続要求により、前記計時手段から得られる計時情報に基づいて、前記予約管理サーバ上の認証情報生成手段と同じロジックで認証情報を生成する表示装置側認証情報生成手段と、
入力された認証情報が、前記表示装置側認証情報生成手段で生成された認証情報と一致するか否かを判定する認証情報判定手段と、
当該認証情報判定手段により正しい認証情報であると判定されたら、前記接続要求のあった端末をマスター端末として設定するマスター端末設定手段と、
設定されたマスター端末以外の端末の要求に基づいて、前記画像表示装置がこの端末の操作権限下にあるときに、前記マスター端末からの接続要求があると、他の端末からの接続要求を規制する接続要求規制手段とを備えていることを特徴とする会議システム。
【請求項１１】
請求項８〜請求項１０のいずれかに記載の会議システムにおいて、
前記画像表示装置は、
予め前記マスター端末で生成された、他の端末の接続規制情報に基づいて、他の端末の接続規制設定を行う接続規制設定手段を備えていることを特徴とする会議システム。
【発明の詳細な説明】
【技術分野】
【０００１】
本発明は、画像表示装置、予約管理サーバ、および会議システムに関する。
【背景技術】
【０００２】
画像表示装置としてのプロジェクタは、企業や大学等においてプレゼンテーションに広く用いられている。その際、無線ＬＡＮ等の手段により、複数の端末が同時にプロジェクタに接続することが可能である。そして、一つのプロジェクタを複数の端末（例えば、パーソナルコンピュータ（ＰＣ））で同時に使用することも多い。
例えば、教室で、教師と生徒が各々ＰＣを操作して、一つのプロジェクタでプレゼンテーションを行う場合がある。しかし、教師が何らかのプレゼンテーションを行っている最中でも、生徒のＰＣからデータ入力（割り込み）があると、プロジェクタはそのデータを表示してしまうことになり、教師のプレゼンテーションに支障をきたす。
このように、複数のＰＣが一つのプロジェクタを平等に操作できるとすると、かえって、各ＰＣからのプレゼンテーションがうまくいかないという問題があった。
【０００３】
そこで、プレゼンテーション用の画像を表す画像信号を生成するＰＣと、ＰＣから供給される画像信号に応じて画像を投射するプロジェクタと、このプロジェクタを遠隔操作可能なリモートコントローラとを備え、これらＰＣとリモートコントローラとは、それぞれ個人認証登録手段を有し、リモートコントローラは、リモートコントローラ及びＰＣに登録されている個人認証が一致する場合に限り、ＰＣから供給される機能情報の受信を許可して接続が確立され、プロジェクタを操作することができるプレゼンテーションシステムが知られている（例えば、特許文献１）。
【０００４】
このような特許文献１では、個人認証登録されたユーザ以外がＰＣとリモートコントローラの接続を確立することができず、結果として、個人認証されたユーザ以外は、このプロジェクタをプレゼンテーション用として使用できない。
【０００５】
【特許文献１】特開２００２−６４８８３（第１３、１４頁、図９）
【発明の開示】
【発明が解決しようとする課題】
【０００６】
しかし、特定のプロジェクタを使用させたい人が大勢いる場合、前述の特許文献１によれば、多くの人に認証登録をせざるを得ない。それでは、結果として、前述のような割り込み問題を防ぐことはできない。
【０００７】
本発明は、所定の方法によりマスター端末（ＰＣ）を選定し、他の端末からの接続要求を規制する画像表示装置、予約管理サーバおよび会議システムを提供することを目的とする。
【課題を解決するための手段】
【０００８】
本発明の画像表示装置は、複数の端末と接続され、いずれかの端末からの接続要求を受け付け、接続要求のあった端末の画面を表示させる画像表示装置であって、前記複数の端末からの接続要求を受け付ける接続要求受付手段と、前記複数の端末のうち、最初に接続要求がされた端末をマスター端末として設定するマスター端末設定手段と、設定されたマスター端末以外の端末の要求に基づいて、該画像表示装置がこの端末の操作権限下にあるときに、前記マスター端末からの接続要求があると、他の端末からの接続要求を規制する接続要求規制手段とを備えていることを特徴とする。
【０００９】
本発明によれば、画像表示装置自身が、最初に接続要求を行った端末をマスター端末と認識し、原則として、そのマスター端末のみが画像表示装置を操作できるため、各端末の操作者が勝手に画像表示装置を操作するという不都合をなくすことができる。
その一方で、マスター端末は、送信を停止することで、他の端末にも画像表示装置の操作を認めることができるため、マスター端末を操作する者の指揮により、各端末によるプレゼンテーションを円滑に行うことが可能となる。
特に、本発明は、画像表示装置としてのプロジェクタ1台に対し、講師と参加者が複数の端末（ＰＣ）により共同使用する場合に好適である。例えば、会議等で、幹事役の人が早めに会場に来て、所定のＰＣをプロジェクタに接続するだけで、そのＰＣをマスター端末とすることができ、他に面倒な作業をする必要がないため、非常に簡便である。
【００１０】
本発明の画像表示装置は、複数の端末と接続され、いずれかの端末からの接続要求を受け付け、接続要求のあった端末の画面を表示させる画像表示装置であって、前記複数の端末からの接続要求を受け付ける接続要求受付手段と、前記複数の端末のうち、いずれかの端末から接続要求があると、該画像表示装置固有に設定された認証情報の入力を促す認証情報入力手段と、入力された認証情報が該画像表示装置に設定された認証情報と一致するか否かを判定する認証情報判定手段と、当該認証情報判定手段により正しい認証情報であると判定されると、前記接続要求のあった端末をマスター端末として設定するマスター端末設定手段と、当該マスター端末設定手段により設定されたマスター端末以外の端末の要求に基づいて、前記画像表示装置がこの端末の操作権限下にあるときに、前記マスター端末からの接続要求があると、他の端末からの接続要求を規制する接続要求規制手段とを備えていることを特徴とする。
【００１１】
本発明によれば、画像表示装置には、前もって所定の認証情報が記憶されており、端末からの入力によって、これらが一致した場合にのみ、その端末をマスター端末として設定する。そして、原則として、そのマスター端末のみが画像表示装置を操作できるため、各端末の操作者が勝手に画像表示装置を操作するという不都合をなくすことができる。
その一方で、マスター端末は、送信を停止することで、他の端末にも画像表示装置の操作を認めることができるため、マスター端末を操作する者の指揮により、各端末によるプレゼンテーションを円滑に行うことが可能となる。
本発明は、所定の認証情報の入力を必要とする点で、管理上もセキュリティ上も好ましい。
【００１２】
本発明では、前記認証情報は、該画像表示装置の予約状況を管理する予約管理サーバから出力される、該画像表示装置の予約情報に基づいて生成される認証情報であることが好ましい。
【００１３】
本発明によれば、予約管理サーバがマスター端末の予約管理を行っており、端末に対して認証情報を与える。そして、これらの認証情報が一致した場合にのみマスター端末と認識する。それ故、原則として、そのマスター端末のみが画像表示装置を操作できるため、各端末の操作者が勝手に画像表示装置を操作するという不都合をなくすことができる。
その一方で、マスター端末は、送信を停止することで、他の端末にも画像表示装置の操作を認めることができるため、マスター端末を操作する者の指揮により、各端末によるプレゼンテーションを円滑に行うことが可能となる。また、予約管理サーバを介しているため、管理上もセキュリティ上も優れる。さらに、認証情報が固定ではなく可変であるためセキュリティ上も特に優れる。
【００１４】
本発明の画像表示装置は、複数の端末と接続され、いずれかの端末からの接続要求を受け付け、接続要求のあった端末の画面を表示させる画像表示装置であって、前記複数の端末からの接続要求を受け付ける接続要求受付手段と、時刻を計測する計時手段と、前記いずれかの端末から接続要求があると、この端末に対して、前記計時手段から得られる計時情報に基づく認証情報の入力を促す認証情報入力手段と、前記いずれかの端末から接続要求があると、前記計時手段から得られる計時情報に基づいて認証情報を生成する表示装置側認証情報生成手段と、入力された認証情報が前記表示装置側認証情報生成手段で生成された認証情報と一致するか否かを判定する認証情報判定手段と、正しい認証情報であると判定されたら、前記接続要求のあった端末をマスター端末として設定するマスター端末設定手段と、設定されたマスター端末以外の端末の要求に基づいて、前記画像表示装置がこの端末の操作権限下にあるときに、前記マスター端末からの接続要求があると、他の端末からの接続要求を規制する接続要求規制手段とを備えていることを特徴とする。
【００１５】
本発明によれば、端末から接続要求があると、画像表示装置自身も、計時手段から得られる計時情報に基づいて独自に認証情報を生成するとともに、接続要求してきた端末に対して、認証情報を要求する。例えば、端末が予約管理サーバに予約を行って認証情報を得た場合に、画像表示装置が予約管理サーバ上の認証情報生成手段と同じロジックで認証情報を生成し、これらの認証情報が一致した場合にのみ、その端末をマスター端末と認識する。
それ故、原則として、そのマスター端末のみが画像表示装置を操作できるため、各端末の操作者が勝手に画像表示装置を操作するという不都合をなくすことができる。
その一方で、マスター端末は、送信を停止することで、他の端末にも画像表示装置の操作を認めることができるため、マスター端末を操作する者の指揮により、各端末によるプレゼンテーションを円滑に行うことが可能となる。
本発明では、画像表示装置自身も認証情報を生成するため、予約管理サーバと画像表示装置とが接続されている必要がなく、会議システムを構成するネットワークが非常に簡素化できる。さらに、認証情報が固定ではなく、可変であるため、セキュリティ上も優れる。
【００１６】
本発明の予約管理サーバは、画像表示装置と通信可能に接続され、この画像表示装置の予約状況を管理する予約管理サーバであって、前記画像表示装置の予約情報を受け付ける予約情報受付手段と、この予約情報に基づいて、前記画像表示装置の使用許可を与えるための認証情報を生成する認証情報生成手段と、生成された認証情報を、予約情報を出力した端末に対して通知する認証情報通知手段と、生成された認証情報を、前記画像表示装置に配信する認証情報配信手段とを備えていることを特徴とする。
【００１７】
本発明によれば、予約管理サーバがマスター端末の予約管理を行っており、端末に対して認証情報を与えるとともに、画像表示装置に認証情報を配信する。そして、これらの認証情報が一致した場合にのみマスター端末と認識する。それ故、原則として、そのマスター端末のみが画像表示装置を操作できるため、各端末の操作者が勝手に画像表示装置を操作するという不都合をなくすことができる。
その一方で、マスター端末は、送信を停止することで、他の端末にも画像表示装置の操作を認めることができるため、マスター端末を操作する者の指揮により、各端末によるプレゼンテーションを円滑に行うことが可能となる。
本発明は、予約管理サーバが所定の認証情報を生成するため、画像表示装置が認証情報を生成する必要がなく、画像表示装置の構造を簡素化できる。また、予約管理サーバを介しているため、管理上もセキュリティ上も優れる。
【００１８】
本発明では、認証情報生成手段により認証情報が生成されると、生成された認証情報を書き込んだ物理的認証を発行する認証発行手段を備えていることが好ましい。
例えば、画像表示装置の認証情報入力手段が、発行された物理的認証に書き込まれた情報を読み取る書込情報読取部を備えていると、ユーザに対する利便性に優れる。
【００１９】
本発明の予約管理サーバは、画像表示装置の予約状況を管理する予約管理サーバであって、前記画像表示装置の予約情報を受け付ける予約情報受付手段と、この予約情報に含まれる計時情報に基づいて、前記画像表示装置の使用許可を与えるための認証情報を生成する認証情報生成手段と、生成された認証情報を、予約情報を出力した端末に対して通知する認証情報通知手段とを備えていることを特徴とする。
【００２０】
本発明によれば、予約管理サーバは、画像表示装置の予約情報に含まれる計時情報に基づいて認証情報を生成し、予約情報を出力した端末に出力する。そして、端末からの認証情報が、画像表示装置自身が備える認証情報と一致した場合にのみ、画像表示装置はその端末をマスター端末と認識する。それ故、原則として、そのマスター端末のみが画像表示装置を操作できるため、各端末の操作者が勝手に画像表示装置を操作するという不都合をなくすことができる。
本発明では、予約管理サーバと画像表示装置とが接続されている必要がないため、会議システムを構成するネットワークが非常に簡素化できる。
【００２１】
本発明の会議システムは、複数の端末と、各端末が接続される画像表示装置とを備え、いずれかの端末からの接続要求を受け付け、接続要求のあった端末の画面をこの画像表示装置に表示させて会議を行う会議システムであって、前記画像表示装置と通信可能に接続され、この画像表示装置の予約状況を管理する予約管理サーバを備え、前記予約管理サーバは、前記画像表示装置の予約情報を受け付ける予約情報受付手段と、この予約情報に基づいて、前記画像表示装置の使用許可を与えるための認証情報を生成する認証情報生成手段と、生成された認証情報を、予約情報を出力した端末に対して通知する認証情報通知手段と、生成された認証情報を、前記画像情報表示装置に配信する認証情報配信手段とを備え、前記画像表示装置は、前記複数の端末からの接続要求を受け付ける接続要求受付手段と、前記複数の端末のうち、いずれかの端末から接続要求があると、当該接続要求を行った端末に対して前記認証情報の入力を促す認証情報入力手段と、入力された認証情報が、配信された認証情報と一致するか否かを判定する認証情報判定手段と、当該認証情報判定手段により正しい認証情報であると判定されると、前記接続要求を御行った端末をマスター端末として設定するマスター端末設定手段と、設定されたマスター端末以外の端末の要求に基づいて、当該画像表示装置がこの端末の操作権限下にあるときに、前記マスター端末から接続要求があると、他の端末からの接続要求を規制する接続要求規制手段とを備えていることを特徴とする。
【００２２】
本発明によれば、予約管理サーバがマスター端末の予約管理を行っており、端末に対して認証情報を与えるとともに、画像表示装置に認証情報を配信する。そして、これらの認証情報が一致した場合にのみマスター端末と認識する。それ故、原則として、そのマスター端末のみが画像表示装置を操作できるため、各端末の操作者が勝手に画像表示装置を操作するという不都合をなくすことができる。
その一方で、マスター端末は、送信を停止することで、他の端末にも画像表示装置の操作を認めることができるため、マスター端末を操作する者の指揮により、各端末によるプレゼンテーションを円滑に行うことが可能となる。
本発明は、予約管理サーバが所定の認証情報を生成するため、画像表示装置が認証情報を生成する必要がなく、画像表示装置の構造を簡素化できる。また、予約管理サーバを介しているため、管理上もセキュリティ上も優れる。
【００２３】
本発明では、前記予約管理サーバは、前記認証情報生成手段により認証情報が生成されると、生成された認証情報を書き込んだ物理的認証を発行する認証発行手段を備え、前記画像表示装置の認証情報入力手段は、発行された物理的認証に書き込まれた情報を読み取る書込情報読取部を備えていることが好ましい。
【００２４】
本発明によれば、ＩＤカードのような物理的認証を発行するため、ユーザはそのＩＤカードを単に、画像表示装置に読み取らせればよく、マスター端末の設定法として非常に簡便である。
【００２５】
本発明の会議システムは、複数の端末と、各端末が接続される画像表示装置とを備え、いずれかの端末からの接続要求を受け付け、接続要求のあった端末の画面をこの画像表示装置に表示させて会議を行う会議システムであって、前記複数の端末と通信可能に接続され、この端末から出力された予約情報に基づく前記画像表示装置の予約状況を管理する予約管理サーバを備え、前記予約管理サーバは、前記画像表示装置の予約情報を受け付ける予約情報受付手段と、前記予約情報に含まれる計時情報に基づいて、認証情報を生成する認証情報生成手段と、生成された認証情報を、予約情報を出力した端末に対して通知する認証情報通知手段とを備え、前記画像表示装置は、前記複数の端末からの接続要求を受け付ける接続要求受付手段と、時刻を計測する計時手段と、前記複数の端末のいずれかから接続要求があると、この端末に対して前記認証情報の入力を促す認証情報入力手段と、前記複数の端末のいずれかからの接続要求により、前記計時手段から得られる計時情報に基づいて、前記予約管理サーバ上の認証情報生成手段と同じロジックで認証情報を生成する表示装置側認証情報生成手段と、入力された認証情報が、前記表示装置側認証情報生成手段で生成された認証情報と一致するか否かを判定する認証情報判定手段と、当該認証情報判定手段により正しい認証情報であると判定されたら、前記接続要求のあった端末をマスター端末として設定するマスター端末設定手段と、設定されたマスター端末以外の端末の要求に基づいて、前記画像表示装置がこの端末の操作権限下にあるときに、前記マスター端末からの接続要求があると、他の端末からの接続要求を規制する接続要求規制手段とを備えていることを特徴とする。
【００２６】
本発明によれば、予約管理サーバと画像表示装置が同じロジックで認証情報を生成し、これらの認証情報が一致した場合にのみマスター端末と認識する。それ故、原則として、そのマスター端末のみが画像表示装置を操作できるため、各端末の操作者が勝手に画像表示装置を操作するという不都合をなくすことができる。
その一方で、マスター端末は、送信を停止することで、他の端末にも画像表示装置の操作を認めることができるため、マスター端末を操作する者の指揮により、各端末によるプレゼンテーションを円滑に行うことが可能となる。
また、本発明によれば、予約管理サーバと画像表示装置とが接続されている必要がないため、会議システムを構成するネットワークが非常に簡素化できる。
【００２７】
本発明では、前記画像表示装置は、予め前記マスター端末で生成された、他の端末の接続規制情報に基づいて、他の端末の接続規制設定を行う接続規制設定手段を備えていることが好ましい。
画像表示装置が各端末の接続規制設定手段を備えているため、各端末ごとに規制内容を設定できる。例えば、各端末に所定の画像表示時間（３分間 等）を割り振ることで、会議やプレゼンテーションを円滑に進めることができる。
【発明を実施するための最良の形態】
【００２８】
[第１実施形態]
以下に、本発明の第１実施形態を図面に基づいて説明する。
〔機器構成および基本動作〕
図１は、本発明の第1実施形態を会議システム１００として構成した図である。
会議システム１００は、画像表示装置としてのワイヤレスプロジェクタ１と、これに無線ＬＡＮで接続された端末としてのパーソナルコンピュータ（ＰＣ）２とを含んで構成される。ＰＣ２は複数台がワイヤレスプロジェクタ１と接続可能であり、いずれかのＰＣ２から接続要求があると、その接続要求に係るＰＣ２の画面を表示して、その画面に基づいて会議が進行するようになっている。尚、各ＰＣ２からの接続は、アドホック接続とされていて、新たな接続要求があると、その新しい接続要求のあったＰＣ２の画面に切り替えられる。
【００２９】
図２はワイヤレスプロジェクタ１の構成を示すブロック図である。
ワイヤレスプロジェクタ１は、プロジェクタ本体の動作を制御する制御部１１と、ユーティリティプログラム１２１やデータを記憶する記憶部１２と、無線ＬＡＮデバイス１３と、表示部１４とを含んで構成される。
制御部１１は、この制御部１１上で動作するプログラム接続要求受付手段１１１と、マスター端末設定手段１１２と、接続要求規制手段１１３と、表示切替手段１１４と、接続規制設定手段１１５とを備える。
【００３０】
接続要求受付手段１１１は、各ＰＣ２からの接続要求を受け付ける部分であり、複数のＰＣ２のうち、いずれかのＰＣ２からの接続要求を受け付けると、接続要求に係るＰＣ２を表す識別コードを表示切替手段１１４に出力する。
表示切替手段１１４は、この接続要求受付手段１１１からの接続要求に係るＰＣ２の識別情報に基づいて、表示部１４の画面表示を接続要求に係るＰＣ２の画面に切り替える部分である。
表示部１４は、この表示切替手段１１４の切替処理によって、接続要求に係るＰＣ２の画面を表示し、以後、接続要求に係るＰＣ２の操作権限下で画面表示を行う。
【００３１】
マスター端末設定手段１１２は、複数のＰＣ２のうち、最初に接続要求がされたＰＣ２をマスター端末として設定する。これにより、マスター端末として設定されたＰＣ２以外のＰＣ２は、制御部１１によりスレーブ端末と認識され、マスター端末となったＰＣ２の管理下に置かれることとなる。具体的には、プロジェクタ１の起動時、制御部１１上でこのマスター端末設定手段１１２が実行され、前記の接続要求受付手段１１１で受け付けられた最初のＰＣ２の識別コードを取得し、この識別コードを制御部１１に付設されるＲＡＭ等のメモリ上に保持することで、最初に接続要求のあったＰＣ２がマスター端末であることを認識する。
【００３２】
接続要求規制手段１１３は、制御部１１によってスレーブ端末として認識されたＰＣ２の画面が表示され、表示部１４がこのＰＣ２の操作権限下にある状態で、マスター端末として設定されたＰＣ２から接続要求があり、これが接続要求受付手段１１１で受け付けられると、接続要求規制手段１１３は、これを認識して、他のスレーブ端末として認識されたＰＣ２からの接続要求の受付を規制する。この際、表示切替手段１１４は、接続要求規制手段１１３からの信号に基づいて、マスター端末に設定されたＰＣ２の画面表示に切り替える。
接続規制設定手段１１５は、マスター端末に設定されたＰＣ２からの接続規制設定情報に基づいて、表示部１４で表示させるスレーブ端末として認識されたＰＣ２の表示の順番や各ＰＣ２の表示時間を設定する部分である。
【００３３】
マスター端末として設定されたＰＣ２は、汎用ノートパソコンとして構成され、図示を略したが、演算処理装置上には、接続規制設定用のプログラムが動作しており、このプログラムでは、スレーブ端末として認識されたＰＣ２に対して、どのＰＣ２から操作権限を与えるか、各ＰＣ２に操作権限を付与する時間の設定を行うことができるようになっている。尚、スレーブ端末として認識されるＰＣ２もこのような機能を備えているが、一旦マスター端末となるＰＣ２の設定が制御部１１側で行われたら、スレーブ端末側でこのプログラムを操作しても、制御部１１では接続要求が規制されているため、受け付けない。
無線ＬＡＮデバイス１３は、無線ＬＡＮ規格によるネットワーク接続を行って無線通信を行う。具体的には、この無線ＬＡＮデバイス１３は、ＩＥＥＥ  ８０２．１１ｇ／ＩＥＥＥ  ８０２．１１ｂ等の規格に従ったものであり、各ＰＣ２、プロジェクタ１のＰＣＭＣＩＡスロットに無線ＬＡＮカードを装着することによって、両者間の無線通信を実現することができる。
【００３４】
〔ワイヤレスプロジェクタ１と各ＰＣ２との動作フロー〕
以下に、図３に示す動作フローをもとに、各ＰＣ２およびワイヤレスプロジェクタ１の動作を具体的に説明する。前提として、ワイヤレスプロジェクタ１の電源は入っており、無線ＬＡＮ機能は正常に動作しているものとする。他の実施形態でも同様である。
【００３５】
（１）会議の議長等がＰＣ２のいずれかを操作して、所定のＰＣ２（Ａ）からワイヤレスプロジェクタ１にプロジェクタ操作信号を送信する（接続要求）。この信号には、ＰＣ２（Ａ）自身の識別コード（例えば、ＩＰアドレスやＭＡＣアドレス）も含まれている。
（２）ワイヤレスプロジェクタ１の接続要求受付手段１１１は、ＰＣ２（Ａ）からの操作信号を受け付ける。マスター端末設定手段１１２は、この接続要求を最初のアクセスであると認識すると、このＰＣ２（Ａ）をマスター端末と設定する。最初のであるか否かの認識は、制御部１１に付設されるＲＡＭの所定領域にＰＣ２の識別コードが保存されているか否かで行うことができる。これによってマスター端末として設定されたＰＣ２の接続が優先され、マスター端末として設定されたＰＣ２が接続状態にあるときは、これ以外のスレーブ端末と認識されるＰＣ２（Ｂ）から接続要求があっても、この接続要求は接続要求規制手段１１３によって規制されてしまう。
【００３６】
（３）このように基本的には会議の進行中は、ワイヤレスプロジェクタ１は、マスター端末として設定されたＰＣ２（Ａ）の操作権限となるが、フリーディスカッションのように、スレーブ端末として認識された任意のＰＣ２（Ｂ）から自由にプレゼンテーションを行う場合は、議長がＰＣ２（Ａ）の接続要求を解除する。すると、接続要求規制手段１１３は、接続規制を解除し、接続要求受付手段１１１は、任意のＰＣ２（Ｂ）からの接続要求を受け付けるようになり、これに基づいて、最新に接続されたＰＣ２（Ｂ）の画面表示がされ、操作権限がこのＰＣ２（Ｂ）に委譲される。
【００３７】
（４）しかしながら、スレーブ端末として認識されるＰＣ２（Ｂ）から勝手に接続要求がされると、正常な会議進行を維持できなくなる。この場合、議長は、マスター端末としてのＰＣ２（Ａ）により接続要求を行うと、再び接続要求規制手段１１３によって他のＰＣ２（Ｂ）からの接続要求を規制し、ワイヤレスプロジェクタ１をマスター端末としてのＰＣ２（Ａ）の操作権限下に置くことができる。
（５）その後、議長は、ＰＣ２（Ａ）を操作することにより、スレーブ端末として認識されたＰＣ２（Ｂ）によるプレゼンテーションの順番や各プレゼンテーションの時間を設定して、制限的にＰＣ２（Ｂ）の接続要求を受け付けることができるようにする。
【００３８】
本実施形態における会議システムにおいては、マスター端末の操作者が画像送信を行っている限り、他のＰＣ２の操作者は、勝手にワイヤレスプロジェクタ１に画像送信を行うことができない。ただし、マスター端末の操作者が画像送信を停止すると、他のＰＣ２は、ワイヤレスプロジェクタ１への画像送信が可能となる。そして、マスター端末の操作者が画像送信を行うと、表示画像がマスター端末からの画像に強制的に切り替わるとともに、他のＰＣ２からの画像送信が再び規制される。
【００３９】
すなわち、単に、ワイヤレスプロジェクタ１に最初にアクセスするだけという簡便な方法でマスター端末を決定することができ、ワイヤレスプロジェクタ３を用いた会議やプレゼンテーションが、マスター端末を操作する者の指揮管理のもとで円滑に進むことになる。
【００４０】
[第２実施形態]
次に、本発明の第２実施形態を図面に基づいて説明する。
〔機器構成および基本動作〕
以下の説明では、前記第１実施形態と同様の機器構成には同一符号を付して、その詳細な説明は省略または簡略化する。
【００４１】
前述の第１実施形態では、マスター端末設定手段１１２は、最初に接続要求を送信したＰＣ２をマスター端末として設定するように構成していた。
これに対して、本発明の第２実施形態に係る会議システムにおいては、図４に示すように、ワイヤレスプロジェクタ３の制御部１１は、認証情報入力手段３１１と、認証情報判定手段３１２と、マスター端末設定手段３１３とを備え、マスター端末設定手段３１３は、所定の認証情報を入力することを条件としてマスター端末を設定する点が相違する。
【００４２】
認証情報入力手段３１１は、いずれかのＰＣ２から接続要求がされると、そのＰＣ２を操作する者に対して認証情報の入力を促す部分である。具体的には、ＰＣ２からの接続要求が接続要求受付手段１１１で受け付けられると、ＰＣ２に対して認証情報入力用の画面を送信し、そのＰＣ２を操作する者に認証情報の入力を促す。
認証情報判定手段３１２は、ＰＣ２から送信出力された認証情報を取得するとともに、記憶部１２に記憶されたプロジェクタ３固有に設定された認証情報１２２を呼び出して、これらが一致するか否かを判定する。
マスター端末設定手段３１３は、この認証情報判定手段３１２の判定結果に基づいて、マスター端末となるＰＣ２を設定する。
【００４３】
〔ワイヤレスプロジェクタ３と各ＰＣ２との動作フロー〕
以下に、図５の動作フローをもとに、各ＰＣ２およびワイヤレスプロジェクタ１の動作を具体的に説明する。
（１）会議の議長等がＰＣ２のいずれかを操作して、所定のＰＣ２（Ａ）からワイヤレスプロジェクタ３にプロジェクタ操作信号を送信出力して接続要求を行うと、この接続要求は接続要求受付手段１１１で受け付けられ、この接続要求に基づいて、認証情報入力手段３１１は、認証情報の入力用画面をＰＣ２（Ａ）に送信する。
【００４４】
（２）この入力画面に基づいて、議長等がＩＤ、パスワード等を入力して認証情報を送信出力すると、この認証情報は、認証情報入力手段３１１で受け付けられる。認証情報判定手段３１２は、入力された認証情報と、記憶部１２に記憶された固有の認証情報１２２を対比して、正しい認証情報であるか否かを判定する。
（３）誤った認証情報であると判定されると、認証情報入力手段３１１は、誤っている旨のメッセージとともに、再び入力用画面をＰＣ２（Ａ）に送信する。正しい認証情報であると判定されたら、マスター端末設定手段３１３は、このＰＣＰ２（Ａ）をマスター端末として設定し、以後、このＰＣ２（Ａ）以外のＰＣ２をスレーブ端末として認識する。
（４）以下、第１実施形態と同様なので、説明を省略する。
【００４５】
ワイヤレスプロジェクタ３には、所定の認証情報が記憶されており、ＰＣ２からの入力によって、これらが一致した場合にのみマスター端末と認識する。そして、原則として、そのマスター端末のみがワイヤレスプロジェクタ３を操作できるため、他のＰＣ２の操作者が勝手にワイヤレスプロジェクタ３に画像を送信するという不都合をなくすことができる。
その一方で、マスター端末は、送信を停止することで、他の端末にも画像表示装置の操作を認めることができるため、マスター端末を操作する者の指揮により、各端末によるプレゼンテーションを円滑に行うことが可能となる。
本実施形態では、マスター端末が決定する前は、どのＰＣ２からでも自由にワイヤレスプロジェクタを操作できるため、利用者の自由度が高い。また、本実施形態では、所定の認証情報の入力を必要とする点で、管理上もセキュリティ上も好ましい
【００４６】
[第３実施形態]
次に、本発明の第３実施形態を図面に基づいて説明する。
〔機器構成および基本動作〕
前述した第２実施形態では、プロジェクタ３固有の認証情報１２２を記憶部１２に記憶しておき、ＰＣ２（Ａ）から送信出力された認証情報をこの固有の認証情報１２２と照合判定することにより、マスター端末となるＰＣ２を設定していた。
これに対して第３実施形態に係る会議システムにおいては、図６に示すように、ワイヤレスプロジェクタ４が予約管理サーバ５と接続され、予約管理サーバ５で予約された予約情報に基づいて認証情報を生成し、これをプロジェクタ４に配信することによって、認証情報の照合判定を行っている点が相違する。
【００４７】
すなわち、図６に示すように、予約管理サーバ５は、ワイヤレスプロジェクタ４とネットワークＮを介して接続されていて、両者は互いに通信可能に構成されている。
この予約管理サーバ５は、図７に示すように、制御部５１及び記憶部５２を備え、制御部５１は、予約情報受付手段５１１、認証情報生成手段５１２、認証情報通知手段５１３、及び認証情報配信手段５１４を備えて構成され、記憶部５２は、予約管理ＤＢ５２１を備えている。
【００４８】
予約情報受付手段５１１は、無線ＬＡＮ等により接続されたＰＣ２から送信出力された予約情報を受け付ける部分であり、具体的には、予約情報としては、会議室名、使用設備名（本例ではプロジェクタ４）、予約日時が考えられる。この予約情報受付手段５１１で受け付けられた予約情報は、予約管理ＤＢ５２１に記憶された予約状況と照合され、バッティングがない場合には、この予約管理ＤＢ５２１に記憶される。
【００４９】
認証情報生成手段５１２は、予約情報が記憶されたことをトリガとして、予約に係るワイヤレスプロジェクタ４のマスター設定のための認証情報を生成する。尚、認証情報は、アルファベット、数字、記号等を複数桁の文字列として、乱数等を利用して生成することができる。
認証情報通知手段５１３は、認証情報生成手段５１２にて生成した認証情報を、予約情報を出力したＰＣ２に対して無線ＬＡＮを通して通知する部分である。通知の方法は種々の方法が考えられるが、例えば、電子メール等によって通知することができる。
認証情報配信手段５１４は、認証情報生成手段５１２にて生成した認証情報を予約に係るワイヤレスプロジェクタ４に配信する。認証情報配信手段５１４による配信は、ネットワークＮを介して行われ、受信したワイヤレスプロジェクタ４では、この認証情報を自己の記憶部に記憶保存する。
【００５０】
〔ワイヤレスプロジェクタ４、各ＰＣ２および予約管理サーバ５の動作フロー〕
次に、図８の動作フローをもとに、各ＰＣ２およびワイヤレスプロジェクタ１の動作について具体的に説明する。
（１）会議等の議長等がＰＣ２（Ａ）を操作して、予約管理サーバ５にアクセスし、このＰＣ２（Ａ）から予約情報を送信出力すると、予約管理サーバ５の予約情報受付手段５１１は、予約管理ＤＢ５２１にバッティングする予約がないことを確認した上でこの予約情報を予約管理ＤＢ５２１上に登録する。
【００５１】
（２）登録が終了したら、認証情報生成手段５１２は、前記の方法等を利用して、認証情報を生成する。認証情報通知手段５１３は、生成した認証情報を、予約情報を送信出力したＰＣ２（Ａ）に電子メール等で通知して、ＰＣ２（Ａ）により予約情報を入力した議長等に報せる。
（３）一方、認証情報配信手段５１４は、生成した認証情報を、ワイヤレスプロジェクタ４に配信し、ワイヤレスプロジェクタ４では、配信された認証情報を記憶部に記憶保存する。
（４）以後の認証の手順等は第２実施形態と同様なので省略する。
【００５２】
本実施形態によれば、予約管理サーバ５がマスター端末の予約管理を行っており、端末としてのＰＣ２に対して認証情報を通知するとともに、ワイヤレスプロジェクタ４に認証情報を配信する。そして、これらの認証情報が一致した場合にのみマスター端末と認識する。
それ故、原則として、そのマスター端末のみがワイヤレスプロジェクタ４を操作できるため、各ＰＣ２の操作者が勝手にワイヤレスプロジェクタ４を操作するという不都合をなくすことができる。
【００５３】
その一方で、マスター端末は、送信を停止することで、他のＰＣ２にもワイヤレスプロジェクタ４の操作を認めることができるため、マスター端末を操作する者の指揮により、各ＰＣ２によるプレゼンテーションを円滑に行うことが可能となる。
本発明は、予約管理サーバ５が所定の認証情報を生成するため、ワイヤレスプロジェクタ４が認証情報を生成する必要がなく、ワイヤレスプロジェクタ４の構造を簡素化できる。また、予約管理サーバを介しているため、管理上もセキュリティ上も優れる。
【００５４】
本実施形態では、予約管理サーバ５による予約管理を行っているため、ワイヤレスプロジェクタ４の使用（マスター端末の設定）に関してバッティングが起こらず、管理上も好ましい。
なお、予約管理サーバ５は、認証発行手段５１５を備えていてもよい。認証発行手段５１５は、認証情報生成手段５１２により認証情報が生成されると、生成された認証情報を書き込んだ物理的認証を発行する。その場合、ワイヤレスプロジェクタ４は、発行された物理的認証に書き込まれた情報を読み取る書込情報読取部４１１（図７）を備えている。
ＩＤカードのような物理的認証を発行するため、ユーザはそのＩＤカードを単に、ワイヤレスプロジェクタ４に読み取らせればよく、マスター端末の設定法として非常に簡便である。
なお、これら各デバイス間の通信は、有線・無線を問わず種々の形態を採用できる。
【００５５】
[第４実施形態]
次に、本発明の第４実施形態を図面に基づいて説明する。
〔機器構成および基本動作〕
前述した第３実施形態に係る会議システムでは、予約管理サーバ５で生成した認証情報は、認証情報配信手段５１４によって、ネットワークＮを介してプロジェクタ４に配信するように構成されていた。
これに対して、第４実施形態に係る会議システムでは、端末となるＰＣ２と予約管理サーバ６とは通信接続可能とされているが、ワイヤレスプロジェクタ７とは通信接続されていない点が相違する。
すなわち、図９に示すように、予約管理サーバ６は、第３実施形態における予約管理サーバ５から認証情報配信手段５１４を除いたような構成を備えている。ただし、予約情報に含まれる計時情報に基づいて、認証情報を生成する認証情報生成手段６１２を備える。
【００５６】
図１０に示すように、ワイヤレスプロジェクタ７は、計時手段７１１と、表示装置側認証情報生成手段７１２と、認証情報判定手段７１３と、マスター端末設定手段とを備えて構成される。
計時手段７１１は、時刻を計測し、表示装置側認証情報生成手段７１２は、端末であるＰＣ２から接続要求があると、前述の計時手段から得られる計時情報に基づいて、予約管理サーバ６上の認証情報生成手段６１２と同じロジックで認証情報を生成する。例えば、予約管理サーバ６とワイヤレスプロジェクタ７とが同じ関数を用いて計算する等のロジックが考えられる。
これらの認証情報が一致した場合に限って、ワイヤレスプロジェクタ７は接続要求してきたＰＣ２をマスター端末と設定する。
【００５７】
〔ワイヤレスプロジェクタ７、各ＰＣ２および予約管理サーバ５の動作フロー〕
次に、図１１の動作フローをもとに、各ＰＣ２およびワイヤレスプロジェクタ７の動作について具体的に説明する。
（１）会議等の議長等がＰＣ２（Ａ）を操作して、予約管理サーバ５にアクセスし、このＰＣ２（Ａ）から予約情報を送信出力すると、前記第３実施形態と同様の手順によって予約情報の登録を行い、認証情報生成手段６１２は、予約情報の中から会議開始時刻又はワイヤレスプロジェクタ７の使用開始時刻に基づいて、認証情報を生成し、ＰＣ２（Ａ）に通知する。
（２）会議等の開催時刻になって、ＰＣ２（Ａ）を操作してワイヤレスプロジェクタ７への接続要求を行うと、ワイヤレスプロジェクタ７の表示装置側認証情報生成手段７１２は、計時手段７１１で計測された時刻を取得し、その時刻に基づいて認証情報を生成する。
（３）以後の認証情報の入力及び照合判定の手順は第３実施形態と同様なので省略する。
【００５８】
本実施形態によれば、予約管理サーバ６とワイヤレスプロジェクタ７が同じロジックで認証情報を生成し、これらの認証情報が一致した場合にのみマスター端末と認識する。それ故、原則として、そのマスター端末からの画像のみがワイヤレスプロジェクタ７により表示されるため、他のＰＣ２の操作者が勝手にワイヤレスプロジェクタ７を操作するという不都合をなくすことができる。
【００５９】
その一方で、マスター端末は、送信を停止することで、他のＰＣ２にもワイヤレスプロジェクタの操作を認めることができるため、マスター端末を操作する者の指揮により、プレゼンテーションを円滑に行うことが可能となる。
【００６０】
また、本実施形態によれば、予約管理サーバ６とワイヤレスプロジェクタ７は相互に情報交換をする必要がない。それ故、予約管理サーバと接続されている必要はなく、ネットワークが簡素化できる。
【００６１】
以上、本発明に好適な実施形態を挙げて説明したが、本発明は、これらの実施形態に限定されるものではなく、本発明の要旨を逸脱しない範囲において種々の変更が可能である。
例えば、上述の実施形態では、ネットワーク手段として無線ＬＡＮを用いたが、もちろん有線ＬＡＮでもよい。
また、前記各実施形態では、ワイヤレスプロジェクタは１台であったが、対象となるプロジェクタが複数台あってもよい。
【００６２】
前記した第２実施形態〜第４実施形態では、マスター端末が決定する前は、各ＰＣ２は自由にワイヤレスプロジェクタを操作できることとしたが、これを禁止してもよい。プロジェクタ操作の権限はあくまでもマスター端末操作者が専有することにすれば、より強固なプロジェクタ管理が可能となる。
【００６３】
さらに、前記した各実施形態には種々の段階の発明が含まれており、開示された複数の構成要件を適宜組み合わせることにより、種々の発明が抽出され得る。従って、実施形態に示された全構成要件からいくつかの構成要件が削除されても、発明が解決しようとする課題の欄で述べた課題が解決でき、本発明の効果が得られる場合には、この構成要件が削除された構成も本発明として抽出され得る。
【００６４】
その他、本発明の実施においては、本発明の目的および効果を妨げない範囲で他のシステムとしてもよい。
【産業上の利用可能性】
【００６５】
本発明の画像表示装置は、接続された複数の端末のうち、特定の端末をマスター端末と認識するため、大勢の参加者が秩序よくプレゼンテーションを行うことができ、産業上有用である。
【図面の簡単な説明】
【００６６】
【図１】本発明の第１実施形態に係る会議システムを示す図。
【図２】前記実施形態におけるワイヤレスプロジェクタの構成を示すブロック図。
【図３】前記実施形態におけるワイヤレスプロジェクタおよび各ＰＣの動作を示すフロー図。
【図４】本発明の第２実施形態に係るワイヤレスプロジェクタの構成を示すブロック図。
【図５】前記実施形態におけるワイヤレスプロジェクタおよび各ＰＣの動作を示すフロー図。
【図６】本発明の第３実施形態に係る会議システムを示す図。
【図７】前記実施形態における予約管理サーバの構成を示すブロック図。
【図８】前記実施形態における、予約管理サーバ、ワイヤレスプロジェクタおよび各ＰＣの動作を示すフロー図。
【図９】本発明の第４実施形態に係る予約管理サーバの構成を示すブロック図。
【図１０】前記実施形態におけるワイヤレスプロジェクタの構成を示すブロック図。
【図１１】前記実施形態における予約管理サーバ、ワイヤレスプロジェクタおよび各ＰＣの動作を示すフロー図。
【符号の説明】
【００６７】
１・・・ワイヤレスプロジェクタ、２・・・パーソナルコンピュータ（ＰＣ）、５・・・予約管理サーバ、１００・・・会議システム
【図１】
2006092365.tif 000003
【図２】
2006092365.tif 000004
【図３】
2006092365.tif 000005
【図４】
2006092365.tif 000006
【図５】
2006092365.tif 000007
【図６】
2006092365.tif 000008
【図７】
2006092365.tif 000009
【図８】
2006092365.tif 000010
【図９】
2006092365.tif 000011
【図１０】
2006092365.tif 000012
【図１１】
2006092365.tif 000013